(57)【要約】      （修正有）【課題】屋根における作業者の転落防止を目的として用いられる親綱保持具及び親綱設置方法に関するもので、命綱等を保持するための親綱を簡単に屋根に設置可能にする。【解決手段】親綱５を保持する親綱保持具１の形状を工夫して、親綱５を屋根４に簡単に設置できるようにしたもので、親綱保持具１は、固定具５０で固定された屋根材４０によって形成された屋根４に用いられ、前記固定具５０に保持される被保持部と、親綱５を保持する保持部と、を備える。【選択図】図１
2019084059.tif 000002
【特許請求の範囲】
【請求項１】
固定具で固定された屋根材によって形成された屋根に用いられる親綱保持具であって、
前記固定具に保持される被保持部と、
親綱を保持する保持部と、を備えることを特徴とする親綱保持具。
【請求項２】
前記被保持部が前記固定具に引っ掛けられて保持される
請求項１に記載の親綱保持具。
【請求項３】
前記被保持部に側方に開口する切欠きが形成されている
請求項２に記載の親綱保持具。
【請求項４】
前記被保持部と前記保持部とを連結する連結部を更に備え、
前記切欠きの開口が前記連結部よりも側方に位置する請求項３に記載の親綱保持具。
【請求項５】
前記連結部又は前記保持部に前記切欠きの開口する向きを示すマークが形成されている請求項４に記載の親綱保持具。
【請求項６】
前記屋根には、複数の前記屋根材が軒棟方向に一部が重なり合って階段状に施工されており、
前記連結部には、前記被保持部が軒棟方向に隣接する前記屋根材間に差し込まれて棟側の前記屋根材を固定する固定具に保持されると共に前記連結部の一部が当該棟側の前記屋根材に隠蔽された状態で、前記棟側の前記屋根材の軒側縁の位置を示すマークが形成されている
請求項４又は５に記載の親綱保持具。
【請求項７】
請求項１乃至６のいずれか１項に記載の親綱保持具を少なくとも２つ用いて前記屋根に前記親綱を設置する親綱設置方法であって、
第１の親綱保持具の被保持部を前記固定具に保持させることと、
第２の親綱保持具の被保持部を前記固定具とは別の固定具に保持させることと、
前記親綱の一部を前記第１の親綱保持具の保持部に保持させ、前記親綱の他部を前記第２の親綱保持具の保持部に保持させることと、を含む親綱設置方法。
【請求項８】
第３の親綱保持具の被保持部を前記別の固定具とは異なる固定具に保持させることと、
前記親綱の前記一部を前記第３親綱保持具の保持部に保持させることと、を更に含み、
前記第１の親綱保持具の被保持部及び前記第３の親綱保持具の被保持部に、側方に開口する切欠きが形成され、
前記第３の親綱保持具は、前記第３の親綱保持具の切欠きの開口が、前記第１の親綱保持具の切欠きの開口と互いに向かい合う、又は互いに反対側を向くように配置されることを特徴とする請求項７に記載の親綱設置方法。
【発明の詳細な説明】
【技術分野】
【０００１】
本発明は、屋根における作業者の転落防止を目的として用いられる親綱保持具及び親綱設置方法に関するものである。
【背景技術】
【０００２】
一般に、屋根の点検、補修及びテレビアンテナの設置作業等において、作業者の転落防止を目的として、命綱が装着される。命綱を装着する際には、先ず、建物に親綱を設置し、次いで、親綱に命綱の一端を連結すると共に他端部を作業者の腰部等に装着する。このように命綱は親綱を介して建物に連結されている。したがって、作業者の転落を防止するためには、親綱を建物にしっかりと固定して設置することが極めて重要である。
【０００３】
従来の親綱設置方法として、例えば、両端にフック金具が取り付けられた親綱を用意し、棟の両側の軒先にそれぞれフック金具を係止し、親綱を一方の軒先から棟を跨いで反対側の軒先に亘って張設する方法がある。
【０００４】
また、他の方法として、フック金具の替わりにウエイトバケットを使用する方法がある。ウエイトバケットは、主に、水を貯留する容器と、親綱の一端と連結する連結部とで構成されている。このウエイトバケットを使用する際には、まず、親綱の一端に設けられたフック金具を軒先に固定する。次いで、フック金具が固定された軒先とは反対側の軒側の地面に、水を貯留したウエイトバケットを置き、親綱の他端部をこのウエイトバケットの連結部に繋げる。これにより、親綱の両端がそれぞれ軒先とその反対側の軒側の地面に固定され、親綱が軒棟方向に延びて屋根に沿ってしっかりと設置される。
【０００５】
しかし、上記のフック金具及びウエイトバケットを用いた親綱の設置方法では、フック金具を軒先に取り付けなければならないため、作業の手間や危険が伴う。そこで、以下の親綱設置方法も提案されている。
【０００６】
特許文献１には、棟包みに、一対の安全金具を棟方向に間隔をあけて、それぞれビス等を打ち込んで固定し、親綱の一端を一方の安全金具に締結すると共に他端を他方の安全金具に締結することにより、親綱を棟方向に延びるように張設する方法が開示されている。
【０００７】
また、特許文献２には、棟部において、屋根材上に、棟の頂部を挟む様にして安全金具を取り付ける方法が開示されている。安全金具を固定する際には、笠木、棟カバーを上から被せ、ビス、釘等の固着具を打ち込む。この方法では、安全金具を棟カバーで隠すため、屋根の外観を損なわない。また、安全金具を取り外す手間を必要とせず、転落の恐れのある作業を減らすことができる。
【先行技術文献】
【特許文献】
【０００８】
【特許文献１】特開２００５−３３６９９０号公報
【特許文献２】特開２００６−２５７６７９号公報
【発明の概要】
【発明が解決しようとする課題】
【０００９】
特許文献１及び２に開示の親綱設置方法では、安全金具を、棟包み、野地板又は棟木にビス等の固定具を打ち込んで固定する必要がある。そのため、安全金具の設置に手間がかかる上に、施主の許諾を要するという課題がある。
【００１０】
さらに、フック金具及びウエイトバケットを用いた親綱設置方法、並びに特許文献１及び２に開示の親綱設置方法のいずれも、片流れ屋根に用いるのは難しいという課題もある。
【００１１】
本発明は、上記の点に鑑みてなされたものであり、命綱等を保持するための親綱を簡単に屋根に設置可能にすることを目的とする。
【課題を解決するための手段】
【００１２】
上記目的を達成するために、本発明は、親綱を保持する親綱保持具の形状を工夫して、親綱を屋根に簡単に設置できるようにしたものである。
【００１３】
具体的には、本発明の一実施形態に係る親綱保持具は、固定具で固定された屋根材によって形成された屋根に用いられ、前記固定具に保持される被保持部と、親綱を保持する保持部と、を備えることを特徴とする。
【発明の効果】
【００１４】
本発明によれば、屋根材を固定する固定具に被保持部を保持させ、次いで、親綱を保持部に保持させることで、親綱を屋根に従来よりも簡単に設置することができる。
【図面の簡単な説明】
【００１５】
【図１】図１は、本実施形態に係る親綱保持具によって親綱が設置された屋根の一部を模式的に示す斜視図である。
【図２】図２は、図１のＡ−Ａ線断面図である。
【図３】図３は、本実施形態に係る親綱保持具によって親綱が設置された屋根の一部を拡大して模式的に示す斜視図である。
【図４】図４は、本実施形態に係る親綱保持具を示す平面図である。
【発明を実施するための形態】
【００１６】
以下、本発明の実施形態を図面に基づいて説明する。尚、以下の好ましい実施形態の説明は本質的に例示に過ぎず、本発明、その適用物或いはその用途を制限することを意図するものではない。また、図面中の矢印Ｘは軒方向を示す。矢印Ｙは軒方向Ｘと直交する軒棟方向を示す。矢印ＹのＹ１方向は棟側を示し、Ｙ２方向は軒側を示す。矢印Ｌは長手方向を示し、矢印Ｓは短手方向を示す。矢印ＬのＬ１方向を上方とし、Ｌ２方向を下方とする。
【００１７】
まず、本実施形態に係る親綱保持具が適用されうる屋根について説明する。図１は、本実施形態に係る親綱保持具１によって親綱５が設置された屋根４の一部を模式的に示す斜視図である。図２は、図１のＡ−Ａ線断面図である。親綱保持具１は、図１に示すように、固定具５０で固定された屋根材４０によって形成された屋根４に用いられる。
【００１８】
屋根４の種類は特に限定されず、例えば切妻屋根、寄棟屋根、片流れ屋根等であってよい。なお、屋根４が片流れ屋根である場合、屋根の傾斜に沿った方向を軒棟方向Ｙとし、軒棟方向Ｙにおける軒側をＹ２方向とし、Ｙ２方向とは反対の方向であるＹ１方向を棟側と定義する。
【００１９】
本実施形態では、屋根４には、複数の屋根材４０が軒棟方向において隣接した状態で、一部が重なり合って階段状に施工されている。すなわち、図１及び図２に示すように、棟側に位置する屋根材４０ｃの一部は、軒側に位置する屋根材４０ｂの上面の一部に重なり、屋根材４０ｂの一部は、更に軒側に位置する屋根材４０ａの上面の一部に重なっている。このように、隣接する屋根材４０同士が一部重なり合って、複数の屋根材４０が、軒棟方向に施工されている。
【００２０】
本実施形態では、図１に示すように、各屋根材４０は、軒方向に近接して並べられた複数の屋根部材４１で構成されている。この屋根部材４１の種類は、特に限定されず、スレート材、瓦、金属系屋根材等であってよい。屋根部材４１は、例えば窯業系の水硬性材料で作製された略矩形板状のスレート材からなっていてよい。本実施形態では、屋根材４０は複数の屋根部材４１で構成されているが、これに限定されず、例えば１つの屋根部材で構成されていてもよい。
【００２１】
各屋根材４０は、固定具５０で固定されている。本実施形態では、各屋根部材４１が、固定具５０で固定されている。固定具５０の種類は特に限定されないが、例えば釘、ねじ、ビス等を用いることができる。
【００２２】
本実施形態では、上述のように、複数の屋根材４０が階段状に施工されているため、固定具５０は、屋根材４０によって隠蔽されている。図２に示すように、屋根材４０ｂを固定する固定具５０ａは、屋根材４０ｂに重なる屋根材４０ｃの一部に隠蔽されている。
【００２３】
次に、本実施形態に係る親綱保持具１について説明する。図４は、本実施形態に係る親綱保持具１を示す平面図である。親綱保持具１は、固定具５０に保持される被保持部１０と、親綱５を保持する保持部２０と、を備える。この親綱保持具１を用いると、屋根材４０を固定する固定具５０に被保持部１０を保持させ、次いで、親綱５を保持部２０に保持させることで、親綱５を屋根４に設置することができる。そのため、親綱５を設置するための作業工程が少なくなり、親綱５の設置を従来よりも簡単に行うことができる。
【００２４】
保持部２０の構成や形状は特に限定されず、親綱５を保持可能なものであればよい。本実施形態では、図４に示すように、保持部２０に親綱５を保持するための孔２１が設けられているが、これに限定されない。例えば、保持部２０には、親綱５を保持するための金具等が設けられていてもよい。ただし、親綱保持具１の製造を容易にする観点、及び親綱５を保持部２０に保持させる際の作業性の観点から、保持部２０に親綱５を保持するための孔２１が設けられていることが好ましい。
【００２５】
保持部２０に形成される孔２１の大きさは特に限定されず、親綱５を保持することが可能な大きさであればよい。図１に示すように、親綱５をカラビナ等の金具５１を介して保持する場合には、金具５１の太さによって孔２１の大きさを適宜設定すればよい。孔２１は正円形でなくてもよく、例えば、楕円形、三角形、四角形等であってもよい。孔２１は、直径が例えば３０ｍｍ程の略円形であることが好ましい。
【００２６】
被保持部１０の構成や形状は特に限定されず、固定具５０に保持される事が可能であればよい。被保持部１０は固定具５０に引っ掛けられて保持されることが好ましい。すなわち、被保持部１０は、固定具５０に引っ掛け可能な構造を有することが好ましい。この場合、屋根材４０を固定する固定具５０に被保持部１０を引っ掛けることで、被保持部１０を保持させることができるため、親綱保持具１を容易に屋根４に設置することができる。
【００２７】
本実施形態では、図４に示すように、被保持部１０に側方に開口する切欠き１１が形成されている。側方とは、短手方向から下方へ向かって０〜４５°の方向を含む。すなわち、切欠き１１の開口１１０と短手方向との間の角度θが０〜４５°である。本実施形態では、図４に示すように、短手方向から下方へ向かって４５°の方向に開口する切欠き１１が形成されている。すなわち、図４において、θは４５°である。しかし、切欠き１１の開口１１０の向きはこれに限定されず、切欠き１１は、例えば、短手方向に開口していてもよく、短手方向から下方へ向かって６０℃の方向に開口していてもよい。被保持部１０に側方に開口する切欠き１１が形成されていることで、切欠き１１の開口１１０から切欠き１１内に固定具５０を導入することにより、固定具５０に被保持部１０を引っ掛けて保持させることができるため、親綱保持具１を容易に屋根４に設置することができる。
【００２８】
切欠き１１の形状は、側方に開口１１０を有することを除いては特に限定されない。本実施形態では、図４に示すように、切欠き１１は、開口１１０から被保持部１０の短手方向の中間部分まで斜め上方に向かって切り欠かれ、更に長手方向の上方へと固定部１１１までまっすぐ切り欠かれている。切欠き１１がこのような形状を有することで、固定具５０を被保持部１０に引っ掛けたときに、固定具５０が切欠き１１の固定部１１１から動きにくくなるため、被保持部１０が固定具５０からはずれにくくなる。また、本実施形態では、切欠き１１は開口１１０から固定部１１１まで一定の幅で切り欠かれているが、開口１１０から固定部１１１に向かって幅が狭くなるように切り欠かれてもよい。切欠き１１の幅は、固定部１１１に固定具５０をスムーズに導入することができるよう、固定具５０の大きさに応じて適宜設計されうる。
【００２９】
親綱保持具１は、被保持部１０と保持部２０とを連結する連結部３０を更に備えていてもよい。この場合、切欠き１１の開口１１０が連結部３０よりも側方に位置することが好ましい。すなわち、切欠き１１の開口１１０における上方の開口縁１１０ａが、下方の開口縁１１０ｂよりも短手方向において、外側に突出していることが好ましい。この場合、連結部３０の短手方向における開口１１０側の縁３０ａを固定具５０に沿わせてスライドすることで、切欠き１１の開口縁１１０ａが固定具５０に当たり、固定具５０を開口１１０と位置合わせしやすくなる。そのため、固定部１１１への固定具５０の導入が容易になる。このため、上述のように固定具５０が屋根材４０に隠蔽されて視認できない場合でも、被保持部１０を固定具５０に容易に保持させることができ、親綱保持具１を容易に屋根４に設置することができる。
【００３０】
本実施形態では、図４に示すように、被保持部１０と連結部３０と保持部２０とが一体に設けられているが、被保持部１０と連結部３０と保持部２０とは別の部材から構成されていてもよい。ただし、親綱保持具１の構成をシンプルにし、製造を容易にする観点から、被保持部１０と連結部３０と保持部２０とは一体に設けられることが好ましい。
【００３１】
連結部３０又は保持部２０に切欠き１１の開口する向きを示すマーク３１が形成されていることが好ましい。本実施形態では、図４に示すように、図形と文字からなるマーク３１が保持部２０に形成されている。マーク３１は、連結部３０に形成されていてもよい。また、マーク３１は、図形のみからなっていてもよく、文字のみからなっていてもよい。マーク３１は親綱保持具１に直接印刷、彫刻等によって形成されてよい。また、マーク３１は、親綱保持具１とは別に形成され、連結部３０又は保持部２０に接着等により設けられてもよい。マーク３１は、視認又は触ることによって切欠き１１の開口する向きを確認できるものであれば、特に限定されない。後述するように、屋根材４０ａ、４０ｂ間に親綱保持具１を差し込んで使用する場合には、切欠き１１が形成された被保持部１０が屋根材４０ｂによって隠蔽されるため、親綱保持具１を屋根４に設置した状態では、切欠き１１の開口する向きを確認することができない。このように、切欠き１１の開口１１０を直視不可能な場合でも、マーク３１が形成されていることで、開口する向きを知ることができる。
【００３２】
図４では、親綱保持具１の一つの面に形成されたマーク３１が図示されているが、この面とは反対側の面にも切欠き１１の開口する向きを示すマークが形成されている。すなわち、本実施形態では、マーク３１は、親綱保持具１の両面に形成されている。マーク３１が親綱保持具１の両面に形成されていることで、どちらの面を上面として親綱保持具１を用いた場合でも、切欠き１１の開口する向きを容易に確認することができる。マーク３１は、親綱保持具１の片面のみに形成されていてもよいが、両面に形成されていることが特に好ましい。
【００３３】
連結部３０には、被保持部１０が軒棟方向に隣接する屋根材４０ａ、４０ｂ間に差し込まれて軒側の屋根材４０ｂを固定する固定具５０に保持されると共に連結部３０の一部が棟側の屋根材４０ｂに隠蔽された状態で、棟側の屋根材４０ｂの軒側縁４０１ｂの位置を示すマーク３２が形成されていることが好ましい。図１に示すように、本実施形態では、親綱保持具１は、屋根材４０ａ、４０ｂ間に差し込まれ、切欠き１１に屋根材４０ｂを固定する固定具５０を引っ掛けて保持される。このとき、切欠き１１が形成された被保持部１０は屋根材４０ｂによって隠蔽されているため、切欠き１１が固定具５０に正しく引っ掛かっているか否かを視認することができない。しかし、切欠き１１が固定具５０に引っ掛かった状態において、親綱保持具１に重なる屋根材４０ｂの軒側縁４０１ｂの位置がどこにあればよいかを示すマーク３２が形成されているため、マーク３２と軒側縁４０１ｂの位置によって固定具５０に切欠き１１が正しく引っ掛かって保持されていることを確認することができる。そのため、親綱保持具１をしっかりと屋根４に設置することができ、信頼性高く親綱５を屋根４に設置することができる。
【００３４】
本実施形態では、図４に示すように、マーク３２は図形と文字からなる。マーク３２は、図形のみからなっていてもよく、文字のみからなっていてもよい。マーク３２は連結部３０に直接印刷、彫刻等によって形成されてよい。また、マーク３２は、連結部３０とは別に形成され、接着等により連結部３０に設けられてもよい。マーク３２は、視認又は触ることによって屋根材４０ｂの軒側縁４０１ｂの位置を確認できるものであれば、特に限定されない。
【００３５】
図４では、親綱保持具１の一つの面に形成されたマーク３２が図示されているが、この面とは反対側の面にも棟側の屋根材４０ｂの軒側縁４０１ｂの位置を示すマークが形成されている。すなわち、本実施形態では、マーク３２は、親綱保持具１の両面に形成されている。マーク３２が親綱保持具１の両面に形成されていることで、どちらの面を上面として親綱保持具１を用いた場合でも、屋根材４０ｂの軒側縁４０１ｂの位置を容易に確認することができる。マーク３２は、親綱保持具１の片面のみに形成されていてもよいが、両面に形成されていることが特に好ましい。
【００３６】
本実施形態では、図４に示すように、連結部３０の短手方向における幅は、被保持部１０及び保持部２０の幅より小さい。連結部３０の幅は、被保持部１０及び保持部２０の幅と同じであってもよく、被保持部１０及び保持部２０の幅よりも大きくてもよい。
【００３７】
親綱保持具１の長手方向における長さは、特に限定されない。上述のように、屋根材４０ａ、４０ｂ間に差し込んで使用する場合、保持部２０が屋根材４０ｂによって隠蔽されず露出するように親綱保持具１の長さを適宜設定すればよい。
【００３８】
親綱保持具１の厚みは特に限定されない。上述のように、親綱保持具１を屋根材４０間に差し込んで使用する場合、親綱保持具１の厚みは、屋根材４０間に差し込み可能なように適宜設定されうる。親綱保持具１の厚みは、例えば１．６〜２．４ｍｍの範囲内であってよい。
【００３９】
親綱保持具１は、金属製であることが好ましい。親綱保持具１は、例えばステンレススチール製であってよい。
【００４０】
次に、親綱５を屋根４に設置する方法について詳しく説明する。図３は、本実施形態に係る親綱保持具１によって親綱５が設置された屋根４の一部を拡大して模式的に示す斜視図である。
【００４１】
親綱保持具１を少なくとも２つ用いて屋根４に親綱５を設置する。本実施形態では、図１に示すように、親綱保持具１を４つ用いて屋根４に親綱５を設置しているが、親綱保持具１の個数は、２つ以上であれば特に限定されず、２つ用いてもよく、３つ用いてもよい。ただし、信頼性高く親綱５を設置するためには、親綱保持具１を３つ以上用いることが好ましく、４つ以上用いることが特に好ましい。
【００４２】
まず、以下のようにして第１の親綱保持具１ａの被保持部１０を固定具５０ａに保持させる。第１の親綱保持具１ａを屋根材４０ａと屋根材４０ｂとの間に差し込む。次いで、第１の親綱保持具１ａの連結部３０の短手方向における開口１１０側の縁３０ａを固定具５０ａに沿わせてスライドさせて、切欠き１１内に固定具５０ａを導入する。これにより、固定具５０ａが固定部１１１に到達し、親綱保持具１ａの被保持部１０が固定具５０ａに保持される。
【００４３】
親綱保持具１を屋根材４０間に差し込む際には、棟側の屋根材４０ｂを少し持ち上げて屋根材４０ａと屋根材４０ｂとの間に親綱保持具１を差し込んでもよく、スペーサ等を用いて屋根材４０ａと屋根材４０ｂとの間に隙間を確保してから親綱保持具１を差し込んでもよい。
【００４４】
次いで、第２の親綱保持具１ｃの被保持部１０を固定具５０ａとは別の固定具５０ｃに保持させる。第２の親綱保持具１ｃは、第１の親綱保持具１ａと同様の方法で固定具５０ｃに保持させればよい。
【００４５】
同様に、第３の親綱保持具１ｂの被保持部１０を固定具５０ｃとは異なる固定具５０ｂに保持させる。本実施形態では、図１に示すように、第３の親綱保持具１ｂの被保持部１０を、第１の親綱保持具１ａ及び第２の親綱保持具１ｃの被保持部１０をそれぞれ保持する固定具５０ａ及び固定具５０ｃとは異なる固定具５０ｂで保持している。しかし、これには限定されず、第３の親綱保持具１ｂの被保持部１０を固定具５０ａに保持させてもよい。
【００４６】
第３の親綱保持具１ｂは、第３の親綱保持具１ｂの切欠き１１の開口１１０が、第１の親綱保持具１ａの切欠き１１の開口１１０と互いに向かい合う、又は互いに反対側を向くように配置されることが好ましい。本実施形態では、図３に示すように、第１の親綱保持具１ａの開口１１０と、第３の親綱保持具１ｂの開口１１０とは互いに向い合っている。すなわち、第１の親綱保持具１ａの短手方向における開口１１０が設けられた側と、第３の親綱保持具１ｂの短手方向における開口１１０が設けられた側とが、互いに向い合うように配置されている。そのため、例えば第１の親綱保持具１ａが、固定具５０ａから外れる方向に動いたとしても、第３の親綱保持具１ｂが、固定具５０ｂから外れにくい方向に動く。これにより、信頼性高く親綱５を屋根４に設置することができる。もちろん、第１の親綱保持具１ａの開口１１０と、第３の親綱保持具１ｂの開口１１０とが互いに反対側を向くように二つの親綱保持具１ａ、１ｂを配置してもよい。この場合でも、一方の親綱保持具１が固定具５０から外れる方向に動いたとしても、他方の親綱保持具１が固定具５０から外れにくい方向に動くため、信頼性高く親綱５を屋根４に設置することができる。
【００４７】
第３の親綱保持具１ｂを設置する際には、第１の親綱保持具１ａとして用いたのと同様の親綱保持具１を裏返して第３の親綱保持具１ｂとして用いることで、容易に第１の親綱保持具１ａの開口１１０と、第３の親綱保持具１ｂの開口１１０とが互いに向かい合う、又は互いに反対側を向くように配置することができる。
【００４８】
また、本実施形態では、親綱保持具１に切欠き１１の開口する向きを示すマーク３１が形成されている。そのため、第１の親綱保持具１ａを固定具５０ａに保持させた後、屋根材４０ｂによって第１の親綱保持具１ａの切欠き１１が隠蔽されていても、マーク３１によって第１の親綱保持具１ａの切欠き１１の開口する向きを知ることができる。そのため、第３の親綱保持具１ｂを、第３の親綱保持具１ｂの開口１１０が、第１の親綱保持具１ａの開口１１０と互いに向かい合う、又は互いに反対側を向くように配置することが容易になる。このように、切欠き１１の開口１１０を直視不可能な場合でも、マーク３１が形成されていることで、開口する向きを知ることができる。
【００４９】
次いで、第４の親綱保持具１ｄの被保持部１０を固定具５０ａ及び固定具５０ｂとは異なる固定具５０ｄに保持させる。本実施形態では、図１に示すように、第４の親綱保持具１ｄの被保持部１０を、第１の親綱保持具１ａ、第２の親綱保持具１ｃ、及び第３の親綱保持具１ｂの被保持部１０をそれぞれ保持する固定具５０ａ、固定具５０ｃ、及び固定具５０ｂとは異なる固定具５０ｄで保持している。しかし、これには限定されず、第４の親綱保持具１ｄの被保持部１０を固定具５０ｃに保持させてもよい。
【００５０】
上記で説明したのと同様に、第４の親綱保持具１ｄは、第４の親綱保持具１ｄの切欠き１１の開口１１０が、第２の親綱保持具１ｃの切欠き１１の開口１１０と互いに向かい合う、又は互いに反対側を向くように配置されることが好ましい。本実施形態では、第４の親綱保持具１ｄの切欠き１１の開口１１０が、第２の親綱保持具１ｃの切欠き１１の開口１１０と互いに反対側を向くように配置されている。
【００５１】
次いで、親綱５の一部を第１の親綱保持具１ａの保持部２０及び第３の親綱保持具１ｂの保持部２０に保持させる。本実施形態では、親綱５は両端に金具５１ａ、５１ｂを有する。親綱５の一端に設けられた金具５１ａを、第１の親綱保持具１ａ及び第３の親綱保持具１ｂの保持部２０に設けられた孔２１に通すことで、親綱５を保持させることができる。まず、図３に示すように、第１の親綱保持具１ａの保持部２０に設けられた孔２１と、第３の親綱保持具１ｂの保持部２０に設けられた孔２１とが、重なるように第１の親綱保持具１ａと第３の親綱保持具１ｂとを配置させる。図３では、第１の親綱保持具１ａが第３の親綱保持具１ｂ上に重なっているが、第３の親綱保持具１ｂが第１の親綱保持具１ａに重なるようにしてもよい。次いで、図１に示すように、重なった第１の親綱保持具１ａの孔２１と第３の親綱保持具１ｂの孔２１に金具５１ａを通す。これにより、第１の親綱保持具１ａの保持部２０と第３の親綱保持具１ｂの保持部２０とが金具５１ａによって連結され、親綱５の一端が、第１の親綱保持具１ａ及び第３の親綱保持具１ｂに保持される。
【００５２】
同様に、親綱５の他部を第２の親綱保持具１ｃの保持部２０及び第４の親綱保持具１ｄの保持部２０に保持させる。本実施形態では、親綱５の他端に設けられた金具５１ｂを、第２の親綱保持具１ｃ及び第４の親綱保持具１ｄの保持部２０に設けられた孔２１に通すことで、親綱５を保持させることができる。
【００５３】
以上のように、屋根４に親綱５を設置することができる。
【００５４】
親綱５を設置する際の工程の順序は上記に限られない。例えば、第１の親綱保持具１ａ及び第３の親綱保持具１ｂを設置してから、第１の親綱保持具１ａ及び第３の親綱保持具１ｂに親綱５の一部を保持させ、次いで第２の親綱保持具１ｃ及び第４の親綱保持具１ｄを設置し、第２の親綱保持具１ｃ及び第４の親綱保持具１ｄに親綱５の他部を保持させてもよい。
【００５５】
親綱保持具１を２つ用いて親綱５を設置する場合、例えば、第１の親綱保持具１ａ及び第２の親綱保持具１ｃを用いればよい。
【００５６】
親綱５の種類は特に限定されず、例えば、合成繊維からなるロープ、天然繊維からなるロープ、金属からなるロープ等を用いることができる。
【００５７】
親綱５の長さは特に限定されず、屋根４上で作業する際の作業範囲に応じて適宜調整されうる。例えば親綱５の長さは、５０〜２００ｃｍの範囲内であってよい。ただし、屋根４の屋根材４０が複数の屋根部材４１で構成される場合、親綱５を信頼性高く設置する観点から、親綱５の長さは、おおよそ屋根部材４１一つ分から二つ分の長さであることが好ましい。親綱保持具１を設置する箇所を調整することで、任意の長さの親綱５を設置することができる。作業範囲が広い場合には、屋根４に２本以上親綱を設置してもよい。その場合、作業者は、命綱を一方の親綱から他方の親綱へ付け替えることで、屋根４上を移動することができるため、広い作業範囲を確保することができる。
【００５８】
親綱５は、軒方向と略平行に設置することが好ましいが、これに限られない。例えば、第１の親綱保持具１ａ及び第３の親綱保持具１ｂを、屋根材４０ａと屋根材４０ｂとの間に差し込み、屋根材４０ｂを固定する固定具５０に保持させ、第２の親綱保持具１ｃ及び第４の親綱保持具１ｄを、屋根材４０ｂと屋根材４０ｃとの間に差し込み、屋根材４０ｃを固定する固定具（図示せず）に保持させてもよい。この場合、親綱５は、軒方向に対して斜めに設置される。
【００５９】
なお、上記実施形態では、孔２１が丸孔であるが、この孔２１が切欠き１１の延びる方向（親綱保持具１の長手方向）に長い長孔状が好ましい。これにより、作業者が棟側に移動するのに伴って親綱５の金具５１が棟側に移動しても、この金具５１が孔２１内で移動するのみであって、親綱保持具１全体が棟側に移動しない。したがって、固定具５０が切欠き１１内で移動せず、この固定具５０が切欠き１１から外れるのを防ぐことが可能となる。
【産業上の利用可能性】
【００６０】
以上説明したように、本発明に係る親綱保持具及び親綱設置方法は、命綱等を保持するための親綱を屋根に簡単に設置するという用途に適用することができる。
【符号の説明】
【００６１】
１                    親綱保持具
１０                  被保持部
１１                  切欠き
２０                  保持部
３０                  連結部
３１                  マーク
３２                  マーク
４                    屋根
４０                  屋根材
５                    親綱
５０                  固定具
【図１】
2019084059.tif 000003
【図２】
2019084059.tif 000004
【図３】
2019084059.tif 000005
【図４】
2019084059.tif 000006